(57)【要約】【課題】作業用機材を小型化でき、安価かつ簡単に、各部のレベル出しの精度を高めた建物基礎の施工作業を行う。【解決手段】建物基礎２１を、事前の建物位置出しに基づき、建物地盤の所定位置に埋設された基礎杭３０と、基礎杭３０の杭頭３５に設けられたコンクリート体５０と、そのコンクリート体５０を介して基礎杭３０に架設された基礎梁４０と、から構成する。また、隣設する基礎杭３０間の建物地盤に、架設された基礎梁４０を中間位置で支持する梁支持体７０を敷設する。【選択図】図１
2005240430.tif 000002
【特許請求の範囲】
【請求項１】
建物地盤に規定した埋設基準面から所定高さで杭頭を頭出しするように埋設された基礎杭の上部にコンクリート体を形成し、接合手段を介して、規定した架設基準面に一致するコンクリート体の上面部に基礎梁を架設してなる
ことを特徴とする建物基礎。
【請求項２】
コンクリート体が、
杭頭に設けた鉄筋かごを囲む型枠内にセメントを打設して形成され、
接合手段が、
鉄筋かごに接続されコンクリート体内に埋め込まれる基端、及び、コンクリート体の上面部から突設されるボルト部を先端として両端に備えるアンカーボルトと、
上面部でボルト部に挿通された基礎梁を固定する螺着手段と、からなる、
ことを特徴とする請求項１に記載の建物基礎。
【請求項３】
鉄筋かごが、
杭頭よりも大径に形成された少なくとも２つの環状鉄筋と、
夫々の環状鉄筋を鉛直方向に所定間隔で同軸配置する縦鉄筋と、からなる
ことを特徴とする請求項２に記載の建物基礎。
【請求項４】
基礎杭が、
先端および基端を開放した円筒状の管本体の先端際に、管本体の外周から外側へ突出するように螺旋翼が取り付けられているとともに、管本体の先端際の内部に、管本体の内壁から内側へ突出するように螺旋内翼が設けられている鋼管杭である、
ことを特徴とする請求項１乃至３の何れかに記載の建物基礎。
【請求項５】
予め規定した埋設基準面から所定高さで杭頭を頭出しするように建物地盤に基礎杭を埋設する基礎杭の埋設工程と、
予め規定した基礎梁の架設基準面に一致する位置に上面部を備えるように、杭頭に設けた鉄筋かごを囲む型枠内にセメントを打設して、基礎杭の上部にコンクリート体を形成するコンクリート体の形成工程と、
接合手段を介して、コンクリート体の上面部に基礎梁を架設する基礎梁の架設工程と、
からなる、
ことを特徴とする建物基礎の施工方法。
【請求項６】
コンクリート体の形成工程において、
先端にボルト部を備えたアンカーボルトの基端をコンクリート体内に埋め込み、先端のボルト部を上面部から突設するようにコンクリート体を形成し、
基礎梁の架設工程において、
上面部から突設されたボルト部を、基礎梁に設けた挿通孔に通して、コンクリート体に基礎梁を螺着する、
ことを特徴とする請求項５に記載の建物基礎の施工方法。
【発明の詳細な説明】
【技術分野】
【０００１】
本発明は、建物等の構造物の荷重を地盤に伝達させる土台としての建物基礎、及びその施工方法に関する。
【背景技術】
【０００２】
従来、地盤に埋設された杭と、その杭の上端部に掛け渡す基礎梁との組み合わせによって形成される鋼製基礎としては、例えば特許文献１，２に記載されたものが知られている。特許文献１には、地盤に打ち込まれた鋼管杭の上端部に、Ｈ形鋼からなる基礎横架材をボルト接合してなる建物基礎の構造が記載され、また特許文献２には、杭上に設けた基礎梁仕口鉄骨と鋼製基礎梁との連結部を覆う状態に、基礎フーチングコンクリートを打設してなる基礎構造が記載されている。
【０００３】
【特許文献１】特願２００１−０６４９７８号公報
【特許文献２】特願２００２−２２０８４２号公報
【発明の開示】
【発明が解決しようとする課題】
【０００４】
しかし、前者は、横架材と杭頭のフランジ部とを直接ボルト接合する構造である。したがって、接合状態の横架材に所定の水平度を備えさせるためには、先ず杭の打込作業の際に、杭頭のフランジ部のレベル出しの精度を高める必要があった。その方法としては、例えば、事前調査に基づき打ち込む杭の杭長を予め設定して杭頭を揃えるように打ち込む方法が案出されたが、実際に杭を打つ支持層の深さは場所によって異なるため、この方法によるレベル出しは非常に困難であった。また、杭を長めに設定し打設後に杭頭を切断することによって杭頭を揃え所要の精度を確保する方法も考えられるが、この方法では、杭頭の切断等の調整作業に時間がかかり、専用の工具等が必要となる点で問題があった。
【０００５】
次に後者は、基礎梁仕口鉄骨を、予め準備した２種類の短尺Ｈ形鋼を用いて直交形状に溶接してなるものである。したがって、現場作業前の作成段階で時間と手間が掛っていた。さらに、基礎梁仕口鉄骨と鋼製基礎梁との連結部は、捨て型枠内のコンクリート中に完全に埋設される状態となるように覆われるため、基礎フーチングコンクリートの打設の際には、基礎梁仕口鉄骨と鋼製基礎梁とを完全な状態に組み立てた上で、各捨て型枠に設置しなければならなかった。この組立状態における作業対象はより大型化するため、作業用機材もそれに応じて大型化する問題があった。
【０００６】
そこで、本発明は上記課題に鑑み、作業用機材を小型化でき、安価かつ簡単に、各部のレベル出しの精度を高めた施工作業を行うことができる建物基礎、及びその施工方法の提供を課題とする。
【課題を解決するための手段】
【０００７】
上記課題を解決するため、請求項１の発明に係る建物基礎は、建物地盤に規定した埋設基準面から所定高さで杭頭を頭出しするように埋設された基礎杭の上部にコンクリート体を形成し、接合手段を介して、規定した架設基準面に一致するコンクリート体の上面部に基礎梁を架設してなるように構成される。
【０００８】
請求項２の発明に係る建物基礎は、コンクリート体が、杭頭に設けた鉄筋かごを囲む型枠内にセメントを打設して形成され、接合手段が、鉄筋かごに接続されコンクリート体内に埋め込まれる基端、及び、コンクリート体の上面部から突設されるボルト部を先端として両端に備えるアンカーボルトと、上面部でボルト部に挿通された基礎梁を固定する螺着手段と、からなるように構成される。
【０００９】
請求項３の発明に係る建物基礎は、鉄筋かごが、杭頭よりも大径に形成された少なくとも２つの環状鉄筋と、夫々の環状鉄筋を鉛直方向に所定間隔で同軸配置する縦鉄筋と、からなるように構成される。
【００１０】
請求項４の発明に係る建物基礎は、基礎杭が、先端および基端を開放した円筒状の管本体の先端際に、管本体の外周から外側へ突出するように螺旋翼が取り付けられているとともに、管本体の先端際の内部に、管本体の内壁から内側へ突出するように螺旋内翼が設けられている鋼管杭であるように構成される。
【００１１】
請求項５の発明に係る建物基礎の施工方法は、予め規定した埋設基準面から所定高さで杭頭を頭出しするように建物地盤に基礎杭を埋設する基礎杭の埋設工程と、予め規定した架設基準面に一致する位置に上面部を備えるように、杭頭に設けた鉄筋かごを囲む型枠内にセメントを打設して、基礎杭の上部にコンクリート体を形成するコンクリート体の形成工程と、接合手段を介して、コンクリート体の上面部に基礎梁を架設する基礎梁の架設工程と、からなることを特徴とする。
【００１２】
請求項６の発明に係る建物基礎の施工方法は、コンクリート体の形成工程において、
先端にボルト部を備えたアンカーボルトの基端をコンクリート体内に埋め込み、先端のボルト部を上面部から突設するようにコンクリート体を形成し、基礎梁の架設工程において、上面部から突設されたボルト部を、基礎梁に設けた挿通孔に通して、コンクリート体に基礎梁を螺着する、ことを特徴とする。
【発明の効果】
【００１３】
請求項１の発明によれば、杭基礎を採用し、コンクリート体の上面部に基礎梁を架設したので、壷掘り程度の根切り量で建物基礎の施工を行うことができ、産業廃棄物となる建設土の発生を抑えて、排土処理の手間を低減でき、施工コストを安価にできる。さらに、上面部の位置をセメントモルタルの盛り重ね等の簡易な作業で鉛直方向に位置調整して架設基準面に一致させることができる。よって、上面部について鉛直方向における高精度のレベル出し作業を容易にでき、基礎梁を架設基準面に合わせて正確に架設できる。
【００１４】
請求項２の発明によれば、コンクリート体を、杭頭に設けた鉄筋かごを囲む型枠内にセメントを打設して形成し、また接合手段を、上面部から突設されるボルト部を先端とするアンカーボルトと螺着手段とからなるように形成したので、基礎梁を上面部に螺着手段で簡単に固定できる。
【００１５】
請求項３の発明によれば、鉄筋かごを杭頭よりも大径の環状鉄筋で構成したので、コンクリート体の形成の際、鉄筋かごを杭径と筒径との差の範囲内で自由に水平方向に位置調整してコンクリート平板上に設置でき、埋設された基礎杭に多少の芯ずれがあっても、コンクリート体の上面部におけるボルト部の突設位置を基礎梁の架設位置に一致させることができる。よって、ボルト部について水平方向における高精度のレベル出し作業を容易にでき、基礎梁を架設位置に合わせて正確に架設できる。
【００１６】
請求項４の発明によれば、回転貫入鋼管杭を基礎杭として採用したので、作業用機材をを小型化でき、杭打ち止め時に支持地盤を乱す事なく高い支持力を得るとともに設計の信頼性を向上できる。
【００１７】
請求項５、６の発明によれば、コンクリート体の上面部については鉛直方向に、また同ボルト部については水平方向に高精度のレベル出し作業を容易に行うことができ、基礎梁を正確に架設できる。
【発明を実施するための最良の形態】
【００１８】
以下、本発明を具体化した実施の形態を、図面に基づいて詳細に説明する。
図１は、本発明に係る建物基礎の一実施形態を示す平面説明図であり、図２は、図１の建物基礎の詳細を示す（ａ）Ａ部の拡大説明図、（ｂ）Ｂ−Ｂ線断面説明図である。
本発明に係る建物基礎２１は、事前の建物位置出しに基づき、建物地盤の所定位置に埋設された基礎杭３０と、基礎杭３０の上部に設けられたコンクリート体５０と、接合手段を介して、コンクリート体５０の上面部５２に架設された基礎梁４０とから構成されてなるものである。また、隣設する基礎杭３０間の建物地盤には、架設された基礎梁４０を中間位置で支持する梁支持体７０が敷設されている。
【００１９】
基礎杭３０には、例えば、回転貫入鋼管杭（以下「ＳＭＤ杭」とする）が好適に使用される。図３、４は、具体的なＳＭＤ杭３１を示す正面図及び底面図である。本ＳＭＤ杭３１は、管本体３２、バイト３３、螺旋翼３４、回転押し込みプレート３７，３７によって構成されている。
【００２０】
管本体３２は、鉄によって筒状に形成されている。そして、管本体３２の先端には、鉄製で四角柱状の２つのバイト３３，３３が突出した状態で取り付けられている。また、管本体３２の先端際の部分には、鉄板からなる螺旋翼３４が、円形フランジ状に溶接によって一体的に取り付けられている。そして、螺旋翼３４は、管本体３２の外周を、所定の間隔で、右向きに（すなわち、上から見た場合に上端から下端にかけて右方向に回転する向きに）、約１周捲回した状態になっている。一方、管本体３２の上端際には、２つの回転押し込みプレート３７，３７が左右対称に突設されている。
【００２１】
図２に示すように、コンクリート体５０は、規定した埋設基準面ＳＬから所定高さで頭出しするように埋設されたＳＭＤ杭３１の上部に設けられている。埋設基準面ＳＬには、所定の厚みの円形平板状に形成されたコンクリート平板２５が、その上面を埋設基準面ＳＬに一致させるように、コンクリート平板２５の中央に穿設された通し孔２６に杭頭３５を通して配置されている。通し孔２６の孔径は、杭頭３５のクリアランスを考慮して、管本体３２よりもやや大径となるように決定されている。コンクリート平板２５上には、ＳＭＤ杭３１の杭頭３５に接続された鉄筋かご５１が配設されている。
【００２２】
図５に示すように、鉄筋かご５１は、管本体３２よりも大径となる同一形状の３つの環状鉄筋５１ａと、各環状鉄筋５１ａを鉛直方向に所定間隔で同軸配置するために全周の８分割位置に夫々接続された８本の縦鉄筋５１ｂとによって、円筒かご状に形成され、さらに、最上段の環状鉄筋５１ａには、枠面に沿って所定間隔に平行配置した２本の補強材５１ｃが備えられている。
【００２３】
また、鉄筋かご５１には、鉄筋かご５１に接続されコンクリート体５０内に埋め込まれる基端部、及び、コンクリート体５０から突設されるボルト部を先端部として両端に備えるアンカーボルト６０が取り付けられている。アンカーボルト６０の基端部は、４つのネジ孔を各角部付近に備えた正方形の基端板６１から形成され、鉄筋かご５１の補強材５１ｃに溶接等によって固定されている。またアンカーボルト６０の先端部は、先端にボルト部を備えた４本の棒体６２の基端を基端板６１のネジ孔に螺合させて形成され、夫々の先端方向を鉄筋かご５１の筒軸方向に一致させるとともに夫々の先端部の長さを調整自在に構成されている。
【００２４】
コンクリート体５０は、コンクリート平板２５上の鉄筋かご５１を芯材として、水硬性セメントの打設によって所定の円柱形状に形成されている。またコンクリート体５０は、基礎梁４０の架設基準面ＰＬに一致する上面部５２を有するように形成されている。上面部５２には、アンカーボルト６０のボルト部が突設されている。
尚、コンクリート体５０の打設の際には、鉄筋かご５１を囲む位置に、水硬性セメントを流し込む型枠５７（図５に２点鎖線で示す）が配置される。また水硬性セメントとしては、例えばポルトランドセメントが好適に使用される。さらに上面部５２は、セメントの打設によって形成されたコンクリート体の粗面にセメントモルタルを盛り重ねることによって鉛直方向に位置調整され、架設基準面ＰＬに一致するように仕上げられている。
【００２５】
基礎梁４０は、一般的ないわゆるＨ鋼を利用してなるものである。このようなＨ鋼を基礎梁４０として用いれば、汎用品を使用して施工コストを低減できる。本実施形態では、基礎梁４０として、建物の妻方向に架設される妻梁４１と、建物の桁方向に架設される桁梁４３との２種類のものが使用されている。妻梁４１のフランジ部の所定位置には、コンクリート体５０の上面部５２から突設された４本の棒体６２の各ボルト部を挿通するための挿通孔４５が４つ穿設されている。これらの挿通孔４５は、フランジ部のウェブ部に対する対称位置に各２つ設けられている。妻梁４１は、コンクリート体５０内に基端板６１が埋め込まれたアンカーボルト６０と、上面部５２から突設したボルト部に挿通孔４５を挿通した状態で固定する螺着手段としてのナットとからなる接合手段を介して、コンクリート体５０の上面部５２に架設されている。
【００２６】
また妻梁４１には、桁梁４３との連結部４２が両端及び中間位置のウェブ部に設けられている。同様に、桁梁４３には、妻梁４１との連結部４４が両端位置のウェブ部に設けられている。妻梁４１の連結部４２は、そのウェブ部において桁梁４３との連結位置に穿設された連結孔４２ａからなるものである。また、桁梁４３の連結部４４は、連結の際に妻梁４１のウェブ部に当接するように桁梁４３の両端部に設けられた当接片４４ａと、当接片４４ａを妻梁４１のウェブ面に当接させた状態で妻梁４１の連結孔４２ａに連通する位置に穿設された同径の連結孔４４ｂとからなるものである。
【００２７】
妻梁４１と桁梁４３は、相対する連結部４２，４４同士をボルトにより締結することによって、基礎梁枠を形成している。また、妻梁４１と桁梁４３で形成される個々の枠には、対角線上に水平ブレース４６が張設されている。
【００２８】
梁支持体７０は、建物位置出しに基づき所定の位置を壷掘りしてなる掘削孔にコンクリート体５０と同様の水硬性セメントで四角錐台状に打設されてなるコンクリート製の束石７１と、基端が束石７１に埋め込まれ先端が束石７１上面から鉛直方向に突設された１本の束柱７２と、基礎梁４０を下側から支持するように束柱７２の先端に設けられた束板７３とを備えて構成されている。束柱７２は、鋼製棒体からなり、上下柱部となるように２分割されている。上下柱部の分割端にはネジ山が刻設されている。両分割端には、束柱７２の全長を伸縮させて束板７３の上下位置を調整するための連接部が螺合されている。
【００２９】
この建物基礎２１によれば、ＳＭＤ杭３１を基礎杭３０として採用したので、貫入時のぶれを抑え、芯ずれを５０ｍｍ以内（杭長５ｍの場合）に抑えて高い鉛直性を確保できる。さらに、杭打ち止め時に支持地盤を乱す事なく高い支持力を得ることができ、設計の信頼性を向上できる。
また、杭基礎を採用して、コンクリート体５０を介して基礎杭３０に基礎梁４０を架設したので、壷掘り程度の根切り量で建物基礎の施工を行うことができ、産業廃棄物となる建設土の発生を抑えて、排土処理の手間を低減でき、施工コストを安価にできる。
さらに施工機械を小型にできるので、狭小地での施工が可能になると共に、住宅密集地でも近隣に威圧感を与えることなく施工できる。施工機械だけでなく、杭のサイズもコンパクトにでき、持ち運びや、施工性に優れ、ローコストに直結する工期の短縮を実現できる。
【００３０】
加えて、支持地盤の深さによっては凍結深度よりも基礎底面を深くできるので、寒冷地等の凍結深度が必要な地域での施工が可能となる。また施工機械の小型化に加えて、施工に必要な部品点数を少なくでき、施工管理が容易になる。さらに基礎杭３０及び基礎梁４０に鋼製材料を使用した場合には、建物の重さによる偏りや、基礎地盤の地質状態が異なる場合であっても、建物周辺の地盤条件、応力条件の変化等の要因を取り除くことが可能となって不同沈下やクラックを防止し、耐震性を向上できる。
【００３１】
また、鉄筋かご５１を杭頭３５よりも大径の環状鉄筋５１ａで構成したので、コンクリート体５０の形成の際、鉄筋かご５１を杭径と筒径との差の範囲内で自由に水平方向に位置調整してコンクリート平板２５上に設置できる。よって、埋設されたＳＭＤ杭３１に多少の芯ずれがあっても、コンクリート体５０の上面部５２におけるボルト部の突設位置を基礎梁４０の架設位置に正確に合わせることが可能となる。よって、ボルト部について水平方向における高精度のレベル出し作業を容易にでき、基礎梁４０を架設位置に合わせて正確に架設できる。
また鉄筋かご５１を筒状に形成したので、４つのボルト部の突設位置を筒軸周り方向に調整でき、基礎梁４０における挿通孔４５の穿設位置に正確に合わせることが可能となる。加えて、型枠５７を筒軸周り方向に回転調整することなく、水平方向に位置調整するだけで、コンクリート体５０の全周面において所定のかぶり厚さを均等に確保できる。また、環状鉄筋５１ａにスペーサ５１ｄを配置すれば、型枠５７の水平方向の位置調整がより簡単になる。
【００３２】
さらに、コンクリート体５０の形成の際、上面部５２の位置をセメントモルタルの盛り重ね等の簡易な作業で鉛直方向に位置調整して架設基準面ＰＬに一致させることができる。この場合には、上面部５２について鉛直方向における高精度のレベル出し作業を容易にでき、基礎梁４０を架設基準面ＰＬに合わせて正確に架設できる。
【００３３】
さらに、アンカーボルト６０を、鉄筋かご５１に接続した基端板６１に棒体６２を螺合して構成したので、予め基端板６１に棒体６２を垂直度を高めた状態で立設するように形成できる。また基端板６１を鉄筋かご５１の補強材５１ｃに接続したので、付着強度を鉄筋かご５１の鉄筋本数に配分でき、付着強度が不足する時は、鉄筋本数を増やすことで対応できる。アンカーボルト６０の先端部を長さ調整自在に構成したので、埋設基準面ＳＬに対してコンクリート平板２５の位置が多少上下動した場合であっても、コンクリート体５０の上面部５２から突設するボルト部の長さを一定値にできる。本アンカーボルト６０によれば、単純形状ゆえにコンクリート体５０を形成しやすく、しかも精度を出しやすい。
【００３４】
そして、コンクリート体５０を、杭頭３５に設けた鉄筋かご５１を囲む型枠５７内にセメントを打設して、架設基準面ＰＬに一致する上面部５２を有するように形成し、また接合手段を、アンカーボルト６０と螺着手段とからなるように形成したので、基礎梁４０を上面部５２に螺着手段で簡単に固定でき、また基礎梁４０を架設基準面ＰＬに正確に設置できる。
【００３５】
次に、図６、７により、本発明に係る建物基礎の施工方法の第１実施形態を説明する。
第１実施形態は、建物地盤にＳＭＤ杭３１を埋設する基礎杭の埋設工程Ｓ１と、埋設したＳＭＤ杭３１の上部にコンクリート体５０を形成するコンクリート体の形成工程Ｓ２と、形成したコンクリート体５０上に妻梁４１を設置する基礎梁の架設工程Ｓ３との実行によって、ＳＭＤ杭３１に基礎梁４０を架設し、建物地盤に建物基礎２１を施工するものである。
【００３６】
尚、第１実施形態の実行前に、建物基礎２１の基礎設計として、施工する建物地盤について、スウェーデン式サウンディング試験や簡易貫入試験等によって地盤調査を行い、基礎杭３０の支持地盤を決定する。また、地盤調査結果や予定する建物荷重に基づき、基礎杭３０の仕様（管径、肉厚、長さ及び翼径）及び本数、基礎梁４０の仕様及び本数、並びに、コンクリート体５０及び梁支持体７０の各仕様を決定し、建物基礎２１の平面配置を決定する。加えて、地表面ＧＬから所定深さが確保される位置に基礎杭３０の埋設基準面ＳＬを規定し、また埋設基準面ＳＬから所定高さが確保される位置に基礎梁４０の架設基準面ＰＬを規定する。
【００３７】
先ず、基礎杭の埋設工程Ｓ１を説明する。
本工程Ｓ１は、基礎杭３０としてのＳＭＤ杭３１の埋設に加えて、規定された埋設基準面ＳＬに対し、ＳＭＤ杭３１の埋設孔の底面に敷設したコンクリート平板２５の上面を一致させる施工工程も含むものである。
【００３８】
（Ｓ１−１）事前の建物位置出しに基づき、ＳＭＤ杭３１の埋設位置周辺を壷掘りして予め掘削孔１２を設け、掘削孔１２内における埋設基準面ＳＬを位置出しする（図６（ａ））。
（Ｓ１−２）埋設基準面ＳＬから所定高さで杭頭３５が頭出しするように、ＳＭＤ杭３１を掘削孔１２内の杭芯出し位置に埋設する。
このＳＭＤ杭３１の埋設には、回転貫入工法が用いられ、例えば、上下動自在の回転駆動装置を備えたアースオーガー等の掘削機（図示略）が使用される。その際、所定高さ±５０ｍｍの精度で埋設することが望ましい。
【００３９】
（Ｓ１−３）埋設孔１２の底面におけるＳＭＤ杭３１の周囲を転圧機等により転圧して均し処理し、沈下等を防ぐように事前地業する。
（Ｓ１−４）地業後、杭頭３５にコンクリート平板２５の通し孔２６を通し、コンクリート平板２５の上面を埋設基準面ＳＬとしての所定深さに正確に一致させるようにレベル出しを行いながら、埋設孔１２にコンクリート平板２５をセメントモルタル２７等で敷設する（図６（ｂ））。
以上で、基礎杭の埋設工程Ｓ１を終了する。
【００４０】
次に、コンクリート体の形成工程Ｓ２を説明する。
（Ｓ２−１）先ず、鉄筋かご５１を、アンカーボルト６０を取り付けた状態で、既設のコンクリート平板２５上に配置する（図６（ｃ））。
配置の際には、最下段の環状鉄筋５１ａをＳＭＤ杭３１の杭頭３５に通し、コンクリート平板２５上に載置した状態で、ボルト部の突設位置を基礎梁４０の架設位置に合わせるように杭径と筒径との差の範囲内で水平方向に位置調整して、杭頭３５に鉄筋かご５１を溶接等によって固定する。
この時、コンクリート平板２５、ＳＭＤ杭３１及び鉄筋かご５１の夫々の軸線が全て一致するように配置することが望ましい。
またアンカーボルト６０の取り付けの際には、架設基準面ＰＬ上において、棒体６２のボルト部が妻梁４１に設けた挿通孔４５（図２参照）に挿通可能となるように、棒体６２の突設長さの調整が行われる。
【００４１】
（Ｓ２−２）コンクリート体５０の外形を形成するための型枠５７を、杭頭３５及び鉄筋かご５１を収納するようにコンクリート平板２５上に配置して、型枠５７内にセメントを流し込んだ場合でも漏れ出すことのないように、土砂を埋め戻して仮止め固定する。
ここで、型枠５７は、亜鉛鉄板等の金属からなる板材や樹脂材料を加工して、両端が開放形成された円筒形に形成されている。また型枠５７は、筒径が鉄筋かご５１よりも大径に形成されると共に、上側の開放筒面が架設基準面ＰＬに一致する筒高さとなるように形成されている。
（Ｓ２−３）型枠５７にセメントを流し込んで固化させる。セメントは、コンクリート体５０の上面が架設基準面ＰＬよりもやや下側に配置される位置まで流し込まれる。
【００４２】
（Ｓ２−４）固化後、型枠５７を外して円柱形状のコンクリート体を形成する。尚、型枠５７は、外すことなく埋め捨てにしても良い。
（Ｓ２−５）コンクリート体５０周囲の空間を無くすように掘削孔１２を埋め戻し、さらに突き固めて整地する。
（Ｓ２−６）梁支持体７０を所定位置に敷設する。
この時、連接部の調整によって束柱７２を縮めて、束板７３を最下位置まで下げておく。
（Ｓ２−７）工程Ｓ２−４のコンクリート体の上面に、セメントモルタル２８を盛り重ねて上面部５２を形成する（図６（ｄ））。
この時、上面部５２が基礎梁４０の架設基準面ＰＬと一致するようにレベル出しを行う。コンクリート体５０の上面部５２には、４本の棒体６２のボルト部が鉛直方向に突設される。
以上で、コンクリート体の形成工程Ｓ２を終了する。
【００４３】
次に、基礎梁の架設工程Ｓ３を説明する。
（Ｓ３−１）妻方向に沿う複数箇所に設けられたコンクリート体５０のボルト部に、妻梁４１の挿通孔４５を通して、コンクリート体５０の上面部５２上に妻梁４１を配置する（図６（ｅ）、図７（ａ））。
（Ｓ３−２）ボルト部に座金を当て、ナットを締めてコンクリート体５０に妻梁４１を固定し、上面部５２に架設する。
（Ｓ３−３）妻梁４１の固定後、妻梁４１に桁梁４３を連結し、基礎梁枠を形成する（図７（ｂ））。
この連結では、妻梁４１の連結部４２と桁梁４３の連結部４４とを一致させて、連通させた両梁４１，４３の連結孔４２ａ，４４ａにボルトを通し、ナットを締めて両者を固定する。固定によって、基礎梁４０が架設基準面ＰＬ上に安定的に架設される。
（Ｓ３−４）各枠の対角線上に水平ブレース４６を取り付け、連接部により上下位置調整された束板７３によって、基礎梁４０を支持する（図７（ｃ））。
以上で、基礎梁の架設工程Ｓ３を終了し、建物基礎２１の施工を終了する。
【００４４】
このような第１実施形態の施工方法によれば、コンクリート体５０の形成の際、上面部５２の位置をセメントモルタル２８の盛り重ね等の簡易な作業で鉛直方向に位置調整して架設基準面ＰＬに一致させることができるとともに、鉄筋かご５１を杭径と筒径との差の範囲内で自由に水平方向に位置調整してコンクリート平板２５上に設置でき、埋設されたＳＭＤ杭３１に多少の芯ずれがあっても、コンクリート体５０の上面部５２におけるボルト部の突設位置を基礎梁４０の架設位置に一致させることができる。よって、上面部５２については鉛直方向に、またボルト部については水平方向に高精度のレベル出し作業を容易に行うことができ、基礎梁４０を正確に架設できる。
【００４５】
また先端根固め工法等のように、セメントミルクを使用しないので、泥水等による土壌汚染等が発生せず周辺環境の保全に寄与できる。さらにコンクリート体５０の形成以外は乾式工法によって施工可能となるので、乾燥や養生が必要となる工程を減らして工期を短縮できる。
【００４６】
次に、本発明に係る建物基礎の施工方法の第２実施形態を説明する。
第２実施形態は、第１実施形態と同様の基礎杭の埋設工程Ｓ１を行った後、埋設したＳＭＤ杭３１上にコンクリート体５０の型枠５７を介して基礎梁４０を仮架設し、アンカーボルト６０を基礎梁４０に先付けする基礎梁の架設工程Ｓ４と、ＳＭＤ杭３１と基礎梁４０との間にコンクリート体５０を形成するコンクリート体の形成工程Ｓ５との実行によって、ＳＭＤ杭３１に基礎梁４０を架設し、建物地盤に建物基礎２１を施工するものである。
【００４７】
先ず、基礎梁の架設工程Ｓ４を説明する。尚基礎杭の埋設工程Ｓ１の説明は省略する。
（Ｓ４−１）工程Ｓ１の後、鉄筋かご５１を既設のコンクリート平板２５上に配置する。
配置の際には、工程Ｓ２−１と同様に、杭頭３５に鉄筋かご５１を溶接等によって固定する。
（Ｓ４−２）工程Ｓ２−２と同様の型枠５７を、杭頭３５及び鉄筋かご５１を収納するようにコンクリート平板２５上に配置して、型枠５７内にセメントを流し込んだ場合でも漏れ出すことのないように、土砂を埋め戻して仮止め固定する。
この時、コンクリート平板２５、ＳＭＤ杭３１及び鉄筋かご５１の夫々の軸線が全て一致するように配置することが望ましい。
（Ｓ４−３）梁支持体７０を所定位置に敷設する。
この時、連接部の調整によって束柱７２を縮めて、束板７３を最下位置まで下げておく。
（Ｓ４−４）妻方向に沿う型枠５７及び梁支持体７０上に、妻梁４１を配置する。
この時、妻梁４１は、型枠５７の上側開放筒面と、連接部により上下位置調整された束板７３とによって、架設基準面ＰＬ上で安定的に支持される。
（Ｓ４−５）工程Ｓ３−３と同様に、妻梁４１に桁梁４３を連結する。
（Ｓ４−６）アンカーボルト６０のボルト部を妻梁４１の挿通孔４５に通して、ナットにより仮止め固定すると共に、補強材５１ｃに接するように基端板６１の位置を調整する。
（Ｓ４−７）補強材５１ｃに基端板６１を溶接等によって固定する。
以上で、基礎梁の架設工程Ｓ４を終了する。
【００４８】
次に、コンクリート体の形成工程Ｓ５を説明する。
（Ｓ５−１）型枠５７にセメントを流し込んで固化させる。セメントは、コンクリート体５０の上面が基礎梁４０の架設基準面ＰＬの位置まで流し込まれる。
（Ｓ５−２）固化後、型枠５７を外して円柱形状のコンクリート体５０を形成する。尚、型枠５７は、外すことなく埋め捨てにしても良い。
（Ｓ５−３）コンクリート体５０周囲の空間を無くすように掘削孔１２を埋め戻し、さらに突き固めて整地する。
以上で、コンクリート体の形成工程Ｓ５を終了し、建物基礎２１の施工を終了する。
【００４９】
このような第２実施形態の施工方法によれば、第１実施形態と同様に、周辺環境の保全に寄与でき、乾燥工程を減らして工期を短縮できる等の効果を備える。さらに、基礎梁４０にアンカーボルト６０を先付けしたので、コンクリート体５０に基礎梁４０を設置する際の位置決めが容易になる。
【００５０】
尚、本発明は上記実施形態に限定されるものではなく、以下に例示するように、本発明の趣旨を逸脱しない範囲で各部の形状並びに構成を適宜に変更して実施することも可能である。
（１）基礎杭３０は、ＳＭＤ杭に限らず、他の鋼管杭や、コンクリート杭頭を用いても良い。
（２）鉄筋かご５１の形状は、円筒かご状に限らず、多角形の筒かご状等の他の形状に形成しても良い。
（３）コンクリート体５０に基礎梁４０を設置する際には、妻梁４１に限らず、桁梁４３に挿通孔を設けて、ボルト部に挿通孔を通して固定しても良い。
【図面の簡単な説明】
【００５１】
【図１】本発明に係る建物基礎の一実施形態を示す平面説明図である。
【図２】図１の建物基礎の詳細を示す（ａ）Ａ部の拡大説明図、（ｂ）Ｂ−Ｂ線断面説明図である。
【図３】鋼管杭の正面図である。
【図４】鋼管杭の底面図である。
【図５】鉄筋かごの（ａ）平面図、（ｂ）正面図である。
【図６】基礎杭の埋設工程及びコンクリート体の形成工程を示す（ａ）〜（ｅ）説明図である。
【図７】基礎梁の架設工程を示す（ａ）〜（ｃ）説明図である。
【符号の説明】
【００５２】
２１・・建物基礎、２５・・コンクリート平板、３０・・基礎杭、３１・・ＳＭＤ杭、４０・・基礎梁、４１・・妻梁、４３・・桁梁、５０・・コンクリート体、５１・・鉄筋かご、５２・・上面部、５７・・型枠、６０・・アンカーボルト、７０・・梁支持体、ＧＬ・・地表面、ＰＬ・・架設基準面、ＳＬ・・埋設基準面。
【図１】
2005240430.tif 000003
【図２】
2005240430.tif 000004
【図３】
2005240430.tif 000005
【図４】
2005240430.tif 000006
【図５】
2005240430.tif 000007
【図６】
2005240430.tif 000008
【図７】
2005240430.tif 000009